(57)【特許請求の範囲】
【請求項１】
平滑な表面を有するすべり板と、前記すべり板に接触するすべり面を有し、かつ水平方向に相対すべり移動できるスライダーと、前記スライダーの下方に配置される杭体もしくは前記杭体の上に配置される基礎フーチング部とを備え、前記すべり板を前記スライダーより上側に配置する免震装置の設置方法であり、
前記スライダーの前記すべり面以外の本体部分の周囲にコンクリートを打設して前記スライダーの本体部分を内蔵したコンクリートブロック（以後「装置部コンクリートブロック」という。）を、その下側の前記杭体もしくは前記基礎フーチング部とは分離可能な別構成体として形成することを特徴とする免震装置の設置方法。
【請求項２】
平滑な表面を有するすべり板と、前記すべり板に接触するすべり面を有し、水平方向に相対すべり移動できるスライダーとを備え、前記すべり板を前記スライダーより下側に、かつ前記スライダーの前記すべり面を下向きに配置する免震装置の設置方法であり、
前記すべり板を、杭体の頭部もしくは前記杭体の上に配置される基礎フーチング部の上面に水平に設置し、その上面に前記スライダーを、前記すべり面を下向きで配置し、
前記スライダーの前記すべり面以外の本体部分の周囲にコンクリートを打設して前記スライダーの本体部分を内蔵した装置部コンクリートブロックを、その上側の上部建物の柱もしくは上部基礎フーチングとは分離可能な別構成体として形成し、前記装置部コンクリートブロックと、前記装置部コンクリートブロックの上部に配置される上部建物の柱もしくは上部基礎フーチングとを、アンカーボルトで接合することを特徴とする免震装置の設置方法。
【発明の詳細な説明】
【技術分野】
【０００１】
本発明は、経済的に免震構造を実現できる「杭頭免震工法」の取り替え可能な免震装置の設置方法に関するものである。
【背景技術】
【０００２】
免震構造は、建物全体の耐震安全性を飛躍的に高めることができる、優れた構造方式であり、これまでに積層ゴム系免震装置、すべり型免震装置、転がり型免震装置など、各種の免震装置が開発されている。
【０００３】
また免震構造建物の形式も多様化しており、当初は基礎と構造物の間に免震装置を配置する「基礎免震」タイプのみであったが、地下階と地上階の間に免震層を配置するもの、地上階の途中に免震層を配置するもの、あるいは建物の途中階の柱の中間や柱頭等に免震装置を配置するもの等所謂「中間階免震」と呼ばれるものもある。
【０００４】
更に近年では、基礎免震タイプの中で、杭体の頭部に免震装置を直接設置できる「杭頭免震工法」が開発されている。
【０００５】
この杭頭免震工法は、装置自体に杭頭の地震時傾斜角を吸収できる回転機構部を有している杭頭免震装置が開発されたことにより実現したもので、杭頭を繋ぐ地中梁が不要になり、２重基礎部の基礎躯体および掘削土工事等の建設費用を削減でき、工期も短縮できるメリットを有している。（特許文献１〜４参照）。
【特許文献１】特開２００３−２５３６８８号公報
【特許文献２】特開２００４−０４４３１２号公報
【特許文献３】特開２００６−１２５１８３号公報
【特許文献４】特開２００７−１９７９１６号公報
【発明の開示】
【発明が解決しようとする課題】
【０００６】
従来の杭頭免震構造では、図６に示すとおり、杭体２の頭部もしくは基礎フーチング部２１のコンクリート内にすべり支承のスライダー４１を直接打ち込んで設置している。
【０００７】
そのスライダー４１の設置高さは、図６（１）のように周囲の基礎スラブ２２より上に設置してもよいし、図６（２）のようにスライダー４１の上部がその周囲の基礎スラブ２２より僅かに突出するようにしてもよい。いずれにしてもスライダー４１の本体は、コンクリート内に打ち込まれている。また図６（１）のようにスライダー４１を囲むコンクリート立ち上がり部が基礎スラブ２２の上面位置（図の破線位置）で施工上打ち継がれていても、この立ち上がり部コンクリートは配筋によってその下の基礎スラブおよび杭体２のコンクリートと一体化されている。
【０００８】
このスライダー４１には常温亜鉛メッキにより２００年分以上の亜鉛防食を施すなど充分な耐久性が確保されており、使用期間１００年以上に渡りメンテナンスフリーで交換の必要はない仕様となっている。
【０００９】
しかし、たとえ実質的に交換不要であっても、想定外の何らかの事象により万一の場合には取り替え可能であることを望むユーザーがいる。現状でも、スライダー４１の交換は不可能ではないが、スライダー４１が打ち込まれているコンクリートフーチングには、その下の杭体からの杭主筋が定着されており、基礎スラブとも一体化されているので、スライダー４１を交換するためには、スライダー周囲のコンクリート塊２１および杭頭付近のコンクリート躯体をはつる必要がある。
【００１０】
そこで、このコンクリート躯体のはつり工事等を必要とせずに、杭頭免震装置のスライダーを簡単に交換できるようにすることが、本発明の課題である。
【課題を解決するための手段】
【００１１】
本発明は上記課題を解決するため次の構成を採用する。
〈構成１〉
平滑な表面を有するすべり板と、前記すべり板に接触するすべり面を有し、かつ水平方向に相対すべり移動できるスライダーと、前記スライダーの下方に配置される杭体もしくは前記杭体の上に配置される基礎フーチング部とを備え、前記すべり板を前記スライダーより上側に配置する免震装置の設置方法であり、前記スライダーの前記すべり面以外の本体部分の周囲にコンクリートを打設して前記スライダーの本体部分を内蔵したコンクリートブロック（以後「装置部コンクリートブロック」という。）を、その下側の前記杭体もしくは前記基礎フーチング部とは分離可能な別構成体として形成することを特徴とする免震装置の設置方法。
【００１２】
〈構成２〉
構成１の免震装置の設置方法において、
前記杭体の頭部もしくは前記基礎フーチング部の上面を、前記基礎フーチング部周縁に設けられた基礎スラブ上面と同一レベルもしくは前記基礎スラブ上面よりも高い位置で平滑に仕上げ、
前記装置部コンクリートブロックと、その下側の前記杭体、前記基礎フーチング、前記基礎スラブのいずれかとを連結するアンカーボルトを配置することを特徴とする免震装置の設置方法。
【００１３】
〈構成３〉
平滑な表面を有するすべり板と、前記すべり板に接触するすべり面を有し、水平方向に相対すべり移動できるスライダーとを備え、前記すべり板を前記スライダーより下側に、かつ前記スライダーの前記すべり面を下向きに配置する免震装置の設置方法であり、前記すべり板を、杭体の頭部もしくは前記杭体の上に配置される基礎フーチング部の上面に水平に設置し、その上面に前記スライダーを、前記すべり面を下向きで配置し、前記スライダーの前記すべり面以外の本体部分の周囲にコンクリートを打設して前記スライダーの本体部分を内蔵した装置部コンクリートブロックを、その上側の上部建物の柱もしくは上部基礎フーチングとは分離可能な別構成体として形成し、前記装置部コンクリートブロックと、前記装置部コンクリートブロックの上部に配置される上部建物の柱もしくは上部基礎フーチングとを、アンカーボルトで接合することを特徴とする免震装置の設置方法。
【００１４】
〈構成４〉
構成１乃至構成３のいずれかに記載の免震装置の設置方法において、前記装置部コンクリートブロックを、予め前記スライダーと一体のプレキャストコンクリートブロックとして製作し、現場設置することを特徴とする免震装置の設置方法。
【００１５】
〈構成５〉
構成１乃至構成４のいずれかに記載の免震装置の設置方法において、前記スライダー上部の前記基礎フーチングもしくは上部躯体をジャッキアップするためのジャッキ反力を支持可能な片持ち梁式ブラケットを、前記杭体の頭部周辺に予め配置して置くことを特徴とする免震装置の設置方法。
【００１６】
〈構成６〉
構成１乃至構成５のいずれかに記載の免震装置の設置方法において、前記スライダー上部の前記基礎フーチングもしくは前記上部躯体を僅かにジャッキアップし、前記装置部コンクリートブロックごと前記スライダーを取り出して免震装置を取り替えることを特徴とする免震装置の設置方法。
【発明を実施するための最良の形態】
【００１７】
以下、本発明を、実施例を示す図面に基づいて説明する。なお、共通する部分には同一符号を付している。
【実施例１】
【００１８】
図１は、本発明の基本構成である構成１の実施例１を示す断面図である。この図では、装置部コンクリートブロック３１が基礎フーチング２１から分離構成、即ち別構成体として形成される。施工手順は次のとおりである。先ず抗体２を施工し、その杭体の頭部に基礎フーチング２１およびその周縁の基礎スラブ２２を構築する。この時、基礎スラブ２２の上面の内、抗体２の上部、即ちすべり板４２の下に位置する範囲は金ゴテ仕上げなどにより平滑に仕上げることが望ましい。なお、免震装置４としては、スライダー４１とすべり板４２とを備えたすべり型免震装置（回転機構付きすべり支承）を使用している。
【００１９】
基礎フーチング２１およびその周縁の基礎スラブ２２を構築した後、免震装置のスライダー４１を設置する。この時、スライダー４１を受ける仮受用フレーム（装置部コンクリートブロック３１の内部に打ち込まれる）には、下側躯体２１と連結する図２に示すようなアンカーボルト３２は設けない。そして装置周りの、スライダー４１のすべり面（上面）以外の本体部分の周りに型枠を立て込み、この型枠内にコンクリートを打設して装置部コンクリートブロック３１を形成する。スライダー４１のすべり面はすべり板４２に接触する。
その後はスライダー４１の上に免震装置のすべり板４２を置き、その上に、既知の上部基礎フーチング５、梁５１、スラブ５２を常用工法でそれぞれ構築すればよい。
【実施例２】
【００２０】
図２は、本発明の構成１をより具体的な形で適用した構成２の実施例２を示す断面図である。この図では、装置部コンクリートブロック３１がアンカーボルト３２により、基礎構造体に結合されている。本実施例では、まず杭体の頭部上部の基礎フーチング２１の上面をその周囲の基礎スラブ２２の上面レベルよりも少し立ち上げてその上面を平滑に仕上げ、その上部に装置部コンクリートブロック３１を構築し、アンカーボルト３２によってその下側の基礎フーチング２１と一体化している。アンカーボルト３２の下半分は袋ナットになっており、基礎フーチング２１に打ち込まれている。
【００２１】
従って、このアンカーボルト３２を抜きとれば、免震装置のスライダー４１は、装置部コンクリートブロック３１の一塊りとして、抜き出すことができる。また逆の手順で新装置スライダー４１を設置し、新アンカーボルト３２をねじ込んで装置部コンクリートブロック３１の新コンクリートを打設すれば、スライダー４１を新品にすることができる。
また新装置設置後には、必ずしもアンカーボルト３２を同一位置に締め込む必要はなく、装置部コンクリートブロック３１の外側からズレ止め対策を施してもよい。
【実施例３】
【００２２】
図３は、本発明の構成２および構成５の実施例３を示す断面図である。この図では、装置交換のためのジャッキ反力を受けるブラケット３３が杭体の頭部周辺に配置されている。
実施例２と殆ど同じであるが、スライダー上部の基礎フーチング２１もしくは上部躯体をジャッキアップするためのジャッキ反力を受ける「片持ち梁式ブラケット」を杭体の頭部に予め用意しておく構成５を示したものである。
【００２３】
このブラケット３３は、ジャッキ反力のために高いせん断耐力を確保したい場合が多いので、Ｈ型鋼などの鉄骨を打ち込んだＳＲＣ造梁とすることが推奨される。
【００２４】
またこのブラケット３３は、免震装置の取り替え工事が実際に必要になった場合に後施工で取り付けてもよい。
【実施例４】
【００２５】
図４は、本発明の構成３の実施例４を示す断面図である。
この実施例は、すべり支承のスライダー４１とすべり板４２の位置を上下逆転させた場合の例、即ち、すべり板４２がスライダー４１より下側に配置する構成３の実施例である。
【００２６】
この場合、装置部コンクリートブロック３１は、スライダー４１を設置した後に現場においてコンクリートを打設してもよいし、構成４のように予めプレキャストコンクリート部材としてスライダー４１と一体化したものを設置することもできる。
【００２７】
いずれにしても、装置部コンクリートブロック３１の上側にアンカーボルト３２の袋ナットを突出させた状態にし、その後は上部基礎フーチング５等の上部躯体を現場で構築する。
【実施例５】
【００２８】
図５は、本発明の構成３の一例である実施例５を示す断面図である。この図では、すべり板４２がスライダー４１より下側にそれぞれ配置され、更にスライダー４１が装置部コンクリートブロック３１を介して上部建物の柱６の柱脚部に直接結合されている。抗体２の頭部上方の基礎フーチングをすべり板受けを考慮した寸法形状にした基礎フーチング２４とし、基礎スラブ２２、地中梁２３を構築した後、すべり板４２を設置する。その上にスライダー４１を配置して装置部コンクリートブロック３１を構成した後、その上部に上部建物の柱６を構築する。
【００２９】
図５では、装置部コンクリートブロック３１とその上部の上部建物の柱６を接合するために、周囲を短い鋼管（接合部材）６１で被覆しており、この被覆鋼管を上方にスライドさせることによって、スライダー４１を装置部コンクリートブロック３１と一体として交換することができる。また、上部建物の柱６と装置部コンクリートブロック３１を一体打ちとして構成することも可能である。
【００３０】
この方法により、柱脚部にすべり支承を配置した免震構造物を構成することができる。この方法では、免震層が構成されないので、極めて経済的な免震構造建物を実現することができる。
【００３１】
これまでの杭頭免震構造では、杭頭を繋ぐ地中梁が省略でき、免震ピットのための掘削土量を削減できるなど大きなメリットがあるが、免震装置、特にスライダー本体の取り替えが難しいという難点が残っていた。
【００３２】
本発明により、杭頭免震構造でありながら、免震装置の取り替え・交換も自由に行えることになり、杭頭免震構造の課題が克服され、安全性能・経済性共に優れた免震工法として一層の普及が期待される。
【図面の簡単な説明】
【００３３】
【図１】本発明の基本構成（構成１）の実施例１を示す断面図である。
【図２】本発明の実施例２（構成２）を示す断面図である。
【図３】本発明の実施例３（構成２および構成５）を示す断面図である。
【図４】本発明の実施例４（構成３）を示す断面図である。
【図５】本発明の構成３の一例である実施例５を示す断面図である。
【図６】従来の杭頭免震工法における免震装置の設置方法を示す断面図である。  （１）基礎スラブ上面が免震装置スライダーよりも下に配置されている場合を示す。  （２）基礎スラブ上面が免震装置スライダー位置に重なるレベルにある場合を示す。
【符号の説明】
【００３４】
１  ：地盤
２  ：杭体 
２１：杭体の頭部の基礎フーチング部および杭頭免震装置周りの基礎フーチング
２２：基礎スラブ
２３：地中梁
２４：すべり板受けを考慮した杭体頭部の基礎フーチング
３  ：取り替え可能の装置据付ユニット
３１：スライダー周りの「装置部コンクリートブロック」
３２：アンカーボルト
３３：ジャッキ反力受けブラケット
４  ：すべり型免震装置（回転機構付きすべり支承）
４１：スライダー
４２：すべり板
５  ：すべり板を固定する上部基礎フーチング
５１：免震装置上部の梁
５２：免震装置上部の床スラブ
６  ：上部建物の柱
６１：柱と装置部コンクリートブロックを繋ぐ接合部材（鋼管等）
【図１】
0004377426.tif 000002
【図２】
0004377426.tif 000003
【図３】
0004377426.tif 000004
【図４】
0004377426.tif 000005
【図５】
0004377426.tif 000006
【図６】
0004377426.tif 000007